(57)【要約】【課題】小出力の電気掃除機であっても、効率よく絨毯から塵埃を吸い込むことができるノズルを提供すること。【解決手段】ノズル本体１８の吸込口２０に近接して、複数の第一突起２５から成る第一突起群２８と、複数の第二突起２６から成る第二突起群２９とを設けて構成したノズルとしての第一ノズル４であって、前記第一突起２５の先端を、前記第二突起２６の先端よりも鈍く且つ幅広に形成すると共に、前記第一突起群２８を、進行方向Ｄにおける前記吸込口２０の前側に設け、前記第二突起群２９を、前記吸込口２０の後側に設けたことで、前記第一突起２５の先端が絨毯Ｃ等の表層上を移動して前記各第一突起２５間に気流Ｓの流通路Ｐを確保して、前記第一突起４の絨毯Ｃへの吸い付きを防止すると共に、前記第二突起２６の先端が絨毯Ｃ等に無数に植設された毛の間に入り込んで塵埃を掻き出すので、絨毯Ｃを効率的に清掃することができる。【選択図】図５
2012095726.tif 000002
【特許請求の範囲】
【請求項１】
吸込口を有するノズル本体と、
前記吸込口に近接して設けられた複数の第一突起から成る第一突起群と、
前記吸込口に近接して前記第一突起群の反対側に設けられた複数の第二突起から成る第二突起群とを有する電気掃除機用ノズルにおいて、
前記第一突起の先端が、前記第二突起の先端よりも鈍く且つ幅広に形成されると共に、
前記第一突起群が、前記ノズル本体の進行方向における前側に設けられ、
前記第二突起群が、前記ノズル本体の進行方向における後側に設けられることを特徴とする電気掃除機用ノズル。
【請求項２】
前記第一突起の突出量よりも、前記第二突起の突出量を大きくしたことを特徴とする請求項１記載の電気掃除機用ノズル。
【請求項３】
前記第一突起同士の間隔を、前記第二突起同士の間隔よりも大きくしたことを特徴とする請求項１記載の電気掃除機用ノズル。
【発明の詳細な説明】
【技術分野】
【０００１】
本発明は、電気掃除機の吸引管の先端に接続して使用されるノズルに関するものであり、特に、絨毯等を掃除するのに適したノズルに関するものである。
【背景技術】
【０００２】
従来、この種の電気掃除機用ノズルとしては、吸込口体（本願発明のノズル本体に相当する）に蓋（本願発明のノズル本体に相当する）を取り付け、この蓋に複数の突起を設けると共に、これらの突起間に吸込孔（本願発明の吸込口に相当する）を設けたものが知られている（例えば、特許文献１参照。）。そして、このようなノズルの前記各突起は、絨毯等に押し当ててブラッシングすることで、絨毯から塵埃を掻き出す。そして、絨毯から掻き出された塵埃は、電気掃除機によって吸引される。なお、前記各突起は、全て同じ高さに形成されている。
【先行技術文献】
【特許文献】
【０００３】
【特許文献１】実開平３−１０７０５６号公報
【発明の概要】
【発明が解決しようとする課題】
【０００４】
以下の説明において、ブラッシングのために移動させる方向の前を単に前、進行方向の後を単に後と述べる。このような電気掃除機用ノズルは、絨毯をブラッシングする際に、前記各突起の前側に繊維状或いは毛状の塵埃が引っ掛かる。そして、前記吸込孔よりも後方に設けられた前記各突起に引っ掛かった塵埃は、前方に吸引され、前記吸込孔にから吸い込まれる。しかしながら、前記吸込孔よりも前方に設けられた前記各突起に引っ掛かった塵埃は、後方に吸引されるものの、前記吸込孔から吸い込まれにくい。また、毛足の長い絨毯をブラッシングする場合、前記各突起が絨毯に深く入り込むと、外気が前記吸込孔から吸引されにくくなってしまう。これらの結果、塵埃の吸引効率が低下してしまう虞がある。これらは、電気掃除機の出力が大きい場合では問題となりにくいが、電気掃除機の出力が小さい場合では、問題となりやすい。
【０００５】
本発明は以上の問題点を解決し、小出力の電気掃除機であっても、効率よく絨毯から塵埃を吸い込むことができるノズルを提供することを目的とする。
【課題を解決するための手段】
【０００６】
本発明の請求項１に記載の電気掃除機用ノズルは、吸込口を有するノズル本体と、前記吸込口に近接して設けられた複数の第一突起から成る第一突起群と、前記吸込口に近接して前記第一突起群の反対側に設けられた複数の第二突起から成る第二突起群とを有する電気掃除機用ノズルにおいて、前記第一突起の先端が、前記第二突起の先端よりも鈍く且つ幅広に形成されると共に、前記第一突起群が、前記ノズル本体の進行方向における前側に設けられ、前記第二突起群が、前記ノズル本体の進行方向における後側に設けられるものである。
【０００７】
また、本発明の請求項２に記載の電気掃除機用ノズルは、請求項１において、前記第一突起の突出量よりも、前記第二突起の突出量を大きくしたものである。
【０００８】
更に、本発明の請求項３に記載の電気掃除機用ノズルは、請求項１において、前記第一突起同士の間隔を、前記第二突起同士の間隔よりも大きくしたものである。
【発明の効果】
【０００９】
本発明の請求項１に記載の電気掃除機用ノズルは、以上のように構成することにより、絨毯等の表面に沿って動かす際に、前記第一突起の先端が絨毯等の表層上を移動すると共に、前記第二突起の先端が絨毯等に無数に植設された毛の間に入り込む。この際、前記第一突起は、塵埃を掻き出すことがないが、それらの間に気流の流通路を確保することができる。一方、前記第二突起は、絨毯等に付着した塵埃を掻き出し、そして、掻き出された塵埃は、吸込口から電気掃除機に吸い込まれる。従って、本願発明の電気掃除機用ノズルは、絨毯等に吸い付くことなく、効率的に塵埃を掻き出して吸引することができる。
【００１０】
そして、前記第一突起の突出量よりも前記第二突起の突出量を大きくしたことで、前記第二突起を、絨毯等に無数に植設された毛の間に、自然に入り込ませることができる。
【００１１】
また、前記第一突起同士の間隔を前記第二突起同士の間隔よりも大きくしたことで、前記第二突起が絨毯に深く入り込んだとしても、前記第一突起間に気流の流通路を十分確保することができるので、ノズルの絨毯等への吸い付きを確実に防止することができる。
【図面の簡単な説明】
【００１２】
【図１】本発明の一実施形態を示す電気掃除機の全体図である。
【図２】同、第一ノズルの正面図である。
【図３】同、第一ノズルの背面図である。
【図４】同、第一ノズルの左側面図である。
【図５】同、第一ノズルのＡ−Ａ断面図である。
【図６】同、第一ノズルの底面図である。
【図７】同、第一ノズルの使用状態を示す説明図である。
【図８】同、第二ノズルの正面図である。
【図９】同、第二ノズルのＢ−Ｂ断面図である。
【図１０】同、充電台の平面図である。
【図１１】同、充電台の正面図である。
【図１２】同、各ノズルが取り付けられた状態の充電台の平面図である。
【図１３】同、第一ノズルの受電台への取り付けを説明する説明図である。
【図１４】同、第一ノズルの受電台への取り付けを説明する説明図である。
【図１５】同、正しい向きの第一ノズルとノズル掛けの関係を示す説明図である。
【図１６】同、誤った向きの第一ノズルとノズル掛けの関係を示す説明図である。
【発明を実施するための形態】
【００１３】
以下、本発明の実施形態について、図１乃至図１６に基づいて説明する。１は本発明の電気掃除機である。この電気掃除機１は、手持ち型の掃除機本体２と、載置台としての充電台３と、第一ノズル４と、第二ノズル５とを有して構成される。前記掃除機本体１は、図示しない電動送風機及び二次電池が収容された機構部６と、集塵容器８とを有して構成される。なお、前記機構部６には、把持部７が設けられる。また、前記集塵容器８には、吸引管９が設けられると共に、この吸引管９に、係合突起１０が設けられる。そして、前記吸引管９の先端部に、前記第一ノズル４又は第二ノズル５が選択的且つ着脱可能に取り付けられる。なお、前記吸引管９の先端部に、何れのノズル４，５も取り付けない状態で使用することも可能である。
【００１４】
前記充電台３は、充電台本体１１と、ノズル掛け１２，１３とを有して構成される。前記充電台本体１１は、ほぼ短円筒形に形成される。即ち、前記充電台本体１１の側面１１Ａは、僅かな抜き勾配があるものの、床等の設置面に対しほぼ垂直である。そして、前記充電台本体１１の平面視形状は、前記把持部７を除く前記機構部６の平面視形状とほぼ一致する。また、前記充電台本体１１の上部には、給電突起１４が設けられると共に、この給電突起１４に、給電端子１５，１６が設けられる。更に、前記充電台本体１１の側面１１Ａには、前記各ノズル掛け１２，１３が一体形成される。なお、前記各ノズル掛け１２，１３は、何れも上方ほど前記充電台本体１１から離れるように、垂直に対して外側に傾斜する。そして、前記各ノズル掛け１２，１３の軸線Ｚの傾斜角度は、何れもδである。そして、この角度δは、前記充電台本体１１の側面１１Ａと前記軸線Ｚとが成す角度にほぼ等しい。また、前記各ノズル掛け１２，１３は、同形状に形成される。そして、前記各ノズル掛け１２，１３は、前記第一ノズル４の後述する接続筒部２２の内寸及び前記第二ノズル５の後述する接続筒部３４の内寸よりも細く形成される。即ち、前記第一ノズル４の接続筒部２２及び第二ノズル５の接続筒部３４は、前記各ノズル掛け１２，１３に遊嵌する。また、前記各ノズル４，５は、どちらのノズル掛け１２，１３にも遊嵌させることができる。また、前記各ノズル掛け１２，１３の下部における基端から先端までの軸線Ｚ方向の寸法はＬＡである。更に、前記充電台本体１１の側面１１Ａには、図示しない電源に接続するための給電線１７が設けられる。
【００１５】
前記第一ノズル４について説明する。なお、前記第一ノズル４は、便宜上、その進行方向Ｄの前側を前、進行方向Ｄの後側を後と定義する。即ち、図４、図５、図７において、右側が前、左側が後、図６において、上側が前、下側が後である。前記第一ノズル４は、合成樹脂製のノズル本体１８と、エラストマー製の突起部材１９とを有して構成される。なお、これらのノズル本体１８と突起部材１９は、インサート成型によって一体に成型される。前記ノズル本体１８は、中央部に吸込口２０が形成された平板状の基部２１と、前記吸引管９に接続された接続筒部２２とを有して構成される。そして、前記基部２１と接続筒部２２は、一体成型される。また、前記吸込口２０は、前記接続筒部２２の内側と連通する。また、前記接続筒部２２には、前記吸引管９の係合突起１０に対応して、係合孔２３が形成される。なお、前記接続筒部２２は、前記基部２１に対して前方に傾斜する。そして、前記基部２１と前記接続筒部２２の軸線Ｘとが成す角度はθである。この角度θは、前記各ノズル掛け１２，１３の傾斜角度δとほぼ等しい。また、前記基部２１の反対側となる前記接続筒部２２の上端縁２２Ａは、前記基部２１とほぼ平行に形成される。即ち、前記接続筒部２２の上端縁２２Ａが通る仮想平面と前記軸線Ｘとが成す角度は、ほぼθであり、前記各ノズル掛け１２，１３の傾斜角度δとほぼ等しい。更に、前記上端縁２２Ａにおける前端２２Ｂから後端２２Ｃまでの軸線Ｘ方向の寸法はＬＢである。そして、この寸法ＬＢと、前述した前記各ノズル掛け１２，１３の寸法ＬＡは、「２ＬＢ＞ＬＡ」という条件を満たす。
【００１６】
前記突起部材１９は、前記ノズル本体１８の基部２１の外周を覆うように構成された基部２４と、複数の第一突起２５と、複数の第二突起２６とを有して構成される。そして、前記基部２４には、前記基部２１の吸込口２０に対応して、貫通孔２７が形成される。また、前記各第一突起２５によって、第一突起群２８が形成されると共に、前記各第二突起２６によって、第二突起群２９が形成される。なお、前記第一突起２５は、正面視で角丸の矩形状に形成される。一方、前記第二突起２６は、正面視で先端が丸められた三角形状に形成される。従って、前記第一突起２５の先端部の横幅Ｗは、ほぼ尖端となっている前記第二突起２６の先端部の幅よりも広い。また、前記第一突起２５は、進行方向Ｄに沿って徐々に突出量が大きくなるように形成される。一方、前記第二突起２６は、進行方向Ｄに対してほぼ直交するように突出して形成される。即ち、前記第一突起２５は、第二突起２６に比べて鈍く形成される。また、前記第一突起２５の突出量ＨＡは、前記第二突起２６の突出量ＨＢよりも小さい。更に、前記各第一突起２５同士の間隔ＧＡ，ＧＢは、前記第一ノズル４を絨毯Ｃに押し当てた際に、前記各第二突起２６の絨毯Ｃから露出している部分同士の間隔ＧＣよりも広い。少なくとも、間隔ＧＢは、前記第二突起２６の先端同士の間隔よりも大きいので、絨毯Ｃに植設された毛の長さによらず、間隔ＧＣよりも必ず大きくなる。
【００１７】
前記第二ノズル５について説明する。なお、前記第二ノズル５も、前記第一ノズル４と同様に、便宜上、図９における右側を前、左側を後と定義する。前記第二ノズル５は、合成樹脂製のノズル本体３０と、複数の毛束から成るブラシ部３１とを有して構成される。前記ノズル本体３０は、吸込口３２を有する略短筒状の基部３３と、前記吸引管９に接続される接続筒部３４とを有して構成される。そして、前記基部３３と接続筒部３４は、一体成型される。また、前記吸込口３２は、前記接続筒部３４と連通する。また、前記接続筒部３４には、前記吸引管９の係合突起１０に対応して、係合孔３５が形成される。なお、前記接続筒部３４は、前記基部３３に対して前方に傾斜して設けられる。そして、前記基部３３の下端縁と前記接続筒部３４の軸線Ｙとが成す角度は、前記第一ノズル４と同様にθである。また、前記接続筒部３４の上端縁３４Ａは、前記基部３３の下端縁３３Ａとほぼ平行に形成される。即ち、前記接続筒部３４の上端縁３４Ａが通る仮想平面と前記軸線Ｙとが成す角度は、ほぼθであり、前記各ノズル掛け１２，１３の傾斜角度δとほぼ等しい。更に、前記上端縁３４Ａにおける前端３４Ｂから後端３４Ｃまでの軸線Ｙ方向の寸法はＬＣである。そして、この寸法ＬＣと、前述した前記各ノズル掛け１２，１３の寸法ＬＡは、「２ＬＣ＞ＬＡ」という条件を満たす。
【００１８】
次に、本実施形態の作用について説明する。まず、使用者は、前記充電台３の給電線１７の図示しないプラグを電源に接続する。そして、前記充電台３に前記掃除機本体２を載せ、この掃除機本体２の機構部６に収容された図示しない二次電池を充電する。このようにして、二次電池を充電することで、前記掃除機本体２が使用可能な状態となる。
【００１９】
そして、この掃除機本体２を使用する場合、前記把持部７を把持して前記掃除機本体２を持ち上げ、操作部を操作して図示しない電動送風機を作動させる。この電動送風機が作動することで、塵埃を含んだ気流が、前記吸引管９から吸引される。そして、気流に含まれる塵埃は、前記集塵容器８で分離され、この集塵容器８内に溜められる。
【００２０】
この際、必要に応じ、前記ノズル掛け１２，１３に保持された前記第一ノズル４又は第二ノズル５を、前記吸引管９の先端に取り付ける。なお、前記第一ノズル４は、主に絨毯Ｃ等を清掃する際に使用される。また、前記第二ノズル５は、主に床や机上等を清掃する際に使用される。
【００２１】
絨毯Ｃを清掃する場合、前述したように、前記第一ノズル４を前記吸引管９の先端に取り付ける。この取り付けは、前記吸引管９の先端を、前記上端縁２２Ａ側から前記第一ノズル４の接続筒部２２に挿入することで行われる。そして、前記第一ノズル４の接続筒部２２に前記吸引管９の先端を挿入すると、この吸引管９に設けられた係合突起１０が、前記接続筒部２２に形成された係合孔２３と係合する。このように、前記係合突起１０が前記係合孔２３と係合することで、前記第一ノズル４は前記吸引管９と結合する。
【００２２】
そして、前記第一ノズル４の各突起群２８，２９を絨毯に接触させて、使用者の方に引く。即ち、前記第一ノズル４を進行方向Ｄの前方に移動させる。なお、前記第一突起２５は、横幅Ｗが広く、進行方向Ｄに沿って前方から後方に向かうに従って徐々に突出量が大きくなるように形成されるので、前記第一ノズル４を進行方向Ｄに移動させても、絨毯Ｃに無数に植設された毛の間に入り込みにくい。即ち、前記第一突起２５は、絨毯Ｃの毛の上を滑るように移動する。これに対し、前記第二突起２６は、正面視で、下方の先端側ほど細くなる三角形状であり、進行方向Ｄに対しほぼ直交して突出するので、前記第一ノズル４を進行方向Ｄに移動させることで、絨毯Ｃの毛の間に入り込む。特に、前記第一突起２５の突出量ＨＡよりも、前記第二突起２６の突出量ＨＢが大きいことで、前記第二突起２６は自然に絨毯Ｃの毛の間に入り込む。そして、前記第二突起２６の先端側が絨毯Ｃの毛の間に入り込んだ状態で前記第一ノズル４を進行方向Ｄに移動させることで、絨毯Ｃの毛の間に入り込んだ塵埃が掻き出される。そして、絨毯Ｃ内の塵埃は、前記第二突起２６の前方に掻き出されるので、この第二突起２６に邪魔されることなく、この第二突起２６の前方に設けられた前記吸込口２０から前記集塵容器８に吸引される。なお、前述したように、前記第一突起２５が絨毯Ｃの毛の間に入り込みにくいことで、前記各第一突起２５間には、絨毯Ｃの毛の上に気流Ｓの流通路Ｐが確保される。また、使用状態での前記第一突起２５同士の間隔ＧＡ，ＧＢが、前記第二突起２６同士における絨毯Ｃによって塞がれていない部分の間隔ＧＣよりも大きいので、気流Ｓの流通路Ｐは十分に確保される。少なくとも、間隔ＧＢは、前記第二突起２６の先端同士の間隔よりも大きいので、間隔ＧＣよりも必ず大きくなる。このため、前記第一ノズル４は、絨毯Ｃに吸い付くことなく、効率的に塵埃を掻き出して吸引することができる。
【００２３】
なお、前記第二ノズル５のような、前記ブラシ部３１を有するノズルを用いた床等の平坦な被清掃部の清掃は、よく知られているので、説明を省略する。
【００２４】
清掃終了後、前記第一ノズル４又は第二ノズル５を前記吸引管９の先端から取り外す。そして、取り外された前記第一ノズル４又は第二ノズル５は、前記充電台３の充電台本体１１の側面１１Ａに設けられた前記ノズル掛け１２，１３に保持させる。なお、前記第二ノズル５の前記ノズル掛け１２，１３への取り付け方は、前記第一ノズル４の前記ノズル掛け１２，１３への取り付け方と同じである。また、前述した通り、前記ノズル掛け１２とノズル掛け１３は、同形状である。従って、前記第一ノズル４の前記ノズル掛け１２への取り付けについてのみ説明する。
【００２５】
前記第一ノズル４は、前記ノズル掛け１２の先端部を、前記上端縁２２Ａ側から前記接続筒部２２に挿入することで、前記ノズル掛け１２に保持される。この際、前記第一ノズル４は、図１４に示すように、前記接続筒部２２の上端縁２２Ａの前端２２Ｂが下となり、後端２２Ｃが上となる姿勢で、前記ノズル掛け１２に保持される。この姿勢では、前記第一ノズル４は、汚れた前記各突起群２８，２９が外側を向く。従って、前記充電台３に前記掃除機本体２を設置しても、汚れた前記各突起群２８，２９が前記掃除機本体２の反対側を向くので、前記掃除機本体２は、前記各突起群２８，２９によって汚されにくい。また、前記第一ノズル４は、その基部２１が、床等の設置面に対してほぼ垂直となる。このため、前記ノズル掛け１２に前記第一ノズル４を嵩張らないように保持させることができる。更に、前記前記第一ノズル４の接続筒部２２の上端縁２２Ａが前記基部２１とほぼ平行であることから、前記接続筒部２２の上端縁２２Ａも、床等の設置面に対してほぼ垂直となる。即ち、前記接続筒部２２の上端縁２２Ａは、前記充電台本体１１の側面１１Ａとほぼ平行となる。このため、前記第一ノズル４を前記ノズル掛け１２に保持させたとき、このノズル掛け１２が前記第一ノズル４の接続筒部２２に深く挿入されるので、前記第一ノズル４は前記ノズル掛け１２に安定して保持される。
【００２６】
なお、前記第一ノズル４は、その軸線Ｘと前記ノズル掛け１２の軸線Ｚが一致するように、前記ノズル掛け１２を挿入することで、前記ノズル掛け１２に保持させることができる。また、前記第一ノズル４の接続筒部２２は、前述したように、その内寸が前記各ノズル掛け１２の太さよりも大きく形成されることで、前記各ノズル掛け１２に遊嵌する。このため、前記第一ノズル４は、図１３に示すように、その軸線Ｘが垂直となる姿勢で上方から掛けることで、前記ノズル掛け１２に保持させることもできる。この際、前記突起部材１９によって前記基部２１側が重くなっていることで、前記第一ノズル４は、図１３に示すように、前記上端縁２２Ａの後端２２Ｃを支点として、左回りに回動する。この結果、前記第一ノズル４は、図１３の状態で前記ノズル掛け１２に掛けられたとしても、図１４の状態で保持される。また、前記第一ノズル４は、その軸線Ｘが垂直に対しδ以下の範囲で外側に傾斜した姿勢で上方から掛けられた場合も、同様に図１４の状態で保持される。なお、前記第一ノズル４は、軸線Ｚと逆方向に僅かに傾いた状態で前記ノズル掛け１２に掛けられたとしても、条件によっては、図１４の状態で保持させることができる。この条件は、支点となる前記接続筒部２２の後端２２Ｃよりも、前記第一ノズル４の重心が外側となることである。前記充電台３は、使用者よりも低い位置となる床等に置かれることも多い。従って、前記充電台３に設けられた前記ノズル掛け１２に対し前記第一ノズル４を上方から掛けることができるようにすることで、前記第一ノズル４は、容易に前記ノズル掛け１２に保持させることができる。
【００２７】
図１６に示すように、前記第一ノズル４を前記ノズル掛け１２に対し逆向き、即ち、前記第一ノズル４の接続筒部２２の前側と後側の位置関係が図１５の場合と逆になるように取り付けようとした場合について説明する。この場合、前記接続筒部２２の前端２２Ｂが前記充電台本体１１に当接すると、前記充電台本体１１から前記接続筒部２２の後端２２Ｃまでの軸線Ｚに沿う距離は、ほぼ２ＬＢとなる。そして、前述した通り、前記接続筒部２２の上端縁２２Ａにおける前端２２Ｂから後端２２Ｃまでの軸線Ｘ方向の寸法ＬＢと、前記ノズル掛け１２の軸線Ｚ方向の下部寸法ＬＡは、「２ＬＢ＞ＬＡ」という条件を満たす。このため、前記ノズル掛け１２の下部の先端１２Ａは、前記接続筒部２２内に挿入されない。このため、前記ノズル掛け１２は、前記第一ノズル４が重力によって倒れると、前記接続筒部２２の上端縁２２Ａの後端２２Ｃが前記ノズル掛け１２に当接しない。従って、前記ノズル掛け１２は、前記第一ノズル４の倒れを止めて支えることができない。即ち、図１６の状態では、前記第一ノズル４は前記ノズル掛け１２に取り付けることができない。
【００２８】
以上のように、本発明は、ノズル本体１８の吸込口２０に近接して、複数の第一突起２５から成る第一突起群２８と、複数の第二突起２６から成る第二突起群２９とを設けて構成したものであって、前記第一突起２５の先端が、前記第二突起２６の先端よりも鈍く且つ幅広に形成されると共に、前記第一突起群２８を、前記ノズル本体１８の進行方向Ｄにおける前側に設け、前記第二突起群２９を、前記ノズル本体１８の進行方向Ｄにおける後側に設けたことで、前記第一突起２５の先端が絨毯Ｃ等の表層上を移動して前記各第一突起２５間に気流Ｓの流通路Ｐを確保して、前記第一突起４の絨毯Ｃへの吸い付きを防止すると共に、前記第二突起２６の先端が絨毯Ｃ等に無数に植設された毛の間に入り込んで塵埃を掻き出すので、絨毯Ｃを効率的に清掃することができる。
【００２９】
また、本発明は、前記第一突起２５の突出量ＨＡよりも前記第二突起２６の突出量ＨＢを大きくしたことで、前記第二突起２６を自然に絨毯Ｃ等の毛の間に入り込ませることができる。
【００３０】
更に、本発明は、前記第一突起２５同士の間隔ＧＡ，ＧＢを、前記第二突起２６の絨毯Ｃから露出している部分同士の間隔ＧＣよりも大きくしたことで、前記第二突起２６が絨毯Ｃに深く入り込んだとしても、前記第一突起２５間に気流Ｓの流通路Ｐを十分確保することができるので、前記第一ノズル４の絨毯Ｃ等への吸い付きを確実に防止することができる。
【００３１】
なお、本発明は以上の実施形態に限定されるものではなく、発明の要旨の範囲内で種々の変形実施が可能である。例えば、上記実施形態では、ノズル本体と各突起群を異なる材質で構成したが、比較的軟質の合成樹脂によって一体に成形しても良い。また、前記第一突起は、絨毯の表層上を移動できる形状であれば、正面視矩形状でなくても良い。また、前記第二突起は、進行方向から見て先端が尖っており、且つ十分な剛性が確保できるのであれば、他の形状でも良い。更に、第一突起群を構成する第一突起、及び前記第二突起群を構成する第二突起の数は、適宜設定し得る。
【符号の説明】
【００３２】
４  第一ノズル（ノズル）
１８  ノズル本体
２０  吸込口
２５  第一突起
２６  第二突起
２８  第一突起群
２９  第二突起群
Ｗ  第一突起２５の先端部の幅
ＨＡ  第一突起２５の突出量
ＨＢ  第二突起２６の突出量
ＧＡ，ＧＢ  第一突起２５同士の間隔
ＧＣ  第二突起２６の絨毯Ｃから露出している部分同士の間隔
【図１】
2012095726.tif 000003
【図２】
2012095726.tif 000004
【図３】
2012095726.tif 000005
【図４】
2012095726.tif 000006
【図５】
2012095726.tif 000007
【図６】
2012095726.tif 000008
【図７】
2012095726.tif 000009
【図８】
2012095726.tif 000010
【図９】
2012095726.tif 000011
【図１０】
2012095726.tif 000012
【図１１】
2012095726.tif 000013
【図１２】
2012095726.tif 000014
【図１３】
2012095726.tif 000015
【図１４】
2012095726.tif 000016
【図１５】
2012095726.tif 000017
【図１６】
2012095726.tif 000018